(57)【特許請求の範囲】
【請求項１】
流動物質を圧力状態の下で保存する容器（１３）から流動物質を注出するため、グリップ（１）を有し、このグリップ（１）の端部（２）に前記容器（１３）のための連結装置（３）を設け、また前記グリップ（１）の前面（４）に手で動作することができるトリガレバー（５）を設け、このトリガレバー（５）を前記容器（１３）に設けた弁装置に掛合させて連係動作するようにした流動物質注出装置において、前記グリップ（１）の端部領域に設けた連結装置（３）に窪み（７）を設け、この窪み（７）を前記グリップ（１）の前記前面（４）まで連続させて設け、また前記連結装置（３）の下方で前記グリップ（１）に拡大部（９）を設け、この拡大部（９）は前記グリップ（１）の前面（４）における前記窪み（７）の外側で約９０°の角度でグリップ（２）の後方領域（８）までひさし部として連続して設け、前記グリップ（１）の外側輪郭に対するひさし部を後方領域（８）に向かって連続的に大きさを増大させ、後方領域（８）で最大となるように形成したことを特徴とする流動物質注出装置。
【請求項２】
前記窪み（７）の前記グリップ（１）の前記前面（４）まで連続する部分を前記トリガレバー（４）の収容部（７２）として構成した請求項１記載の流動物質注出装置。
【請求項３】
前記連結装置（３）の端部領域（７１）に設けた前記窪み（７）を前記グリップ（１）を拡大して前記グリップ（１）に連続形成した請求項１又は２記載の流動物質注出装置。
【請求項４】
前記容器（１３）のための前記連結装置（３）を迅速ロック（３１，３２，３３）として構成し、前記容器（１３）の結合手段（１４）に掛合して連係動作するようにした請求項１乃至３のうちのいずれか一項に記載の流動物質注出装置。
【請求項５】
前記迅速ロックを、バヨネットロック又はスナップロック等により構成した請求項４記載の流動物質注出装置。
【発明の詳細な説明】
【０００１】
【発明の属する技術分野】
本発明は、流動物質を圧力状態の下で保存する容器から流動物質を注出するため、グリップを有し、このグリップの端部に前記容器のための連結装置を設け、また前記グリップの前面に手で動作することができるトリガレバーを設け、このトリガレバーを前記容器に設けた弁装置に掛合させて連係動作するようにした流動物質注出装置に関するものである。
【０００２】
【従来の技術】
建築の分野及び衛生設備の分野では多くの場合、継ぎ目等をシール物質で塞ぐことがよくある。多くの場合、発泡ポリウレタン（以下簡単のため「発泡ＰＵ」と称する）を充填するが、この発泡ポリウレタンは容器内に圧力状態の下で保存する。発泡ＰＵの注出は、容器に装着した分配弁から発生させる。弁は、例えば、弁ステムに設けた押しボタンに指の圧力を加えることによって動作させる。使用者による圧力容器からの発泡ＰＵの注出を容易にするため、弁ステムに衝合するトリガによって動作する装置が提案されている。この原理を改良した装置も提案されており、この装置は再利用することができる。この既知の装置は、管状に構成したグリップを有し、このグリップの端部に雄ねじを形成する。この雄ねじ部分に固定ナットをねじ付け、この固定ナットを圧力容器の連結装置として作用させる。グリップの前面にスリット状の窪みを設け、この窪みにトリガレバーを収容する。窪みは、装着したトリガレバーによって、トリガレバーの回動軸の上方の領域の小さい開口にいたるまで閉鎖する。窪みの頂端縁は、グリップの固定ナットを取り付けた端部の下側に位置し、この位置には貫通孔が存在し、この貫通孔をグリップの前面の小さい開口に連通する。
【０００３】
【発明が解決しようとする課題】
この装置を使用するためには、使用者は圧力容器を、連結装置を設けたグリップの端部にあてがって固定ナットで固定する。分配弁の弁ステムをグリップの貫通孔から圧力容器に突入させる。この後、グリップの前面の小さい開口にエルボを通す必要があり、このエルボの端部を弁ステムに装着する必要がある。エルボの他方の端部には可撓ホースを差し込み、アクセスするのが困難な箇所で発泡させることを可能にする。この既知の装置は、トリガレバーを分解してエルボを通し、弁ステムにこのエルボを装着することができる。この後、トリガレバーを再び組付けることが必要である。次に、圧力容器をグリップに連結し、エルボを通して弁ステムに装着し、圧力容器を振り、発泡ＰＵを撹拌する。この後トリガレバーを動作してエルボに圧力を加え、圧力容器に設けた分配弁を動作させる。
【０００４】
装置を使用しないときは、操作を逆にする。このため、エルボを圧力容器から突出する弁ステムから引き抜き、グリップの前面の小さい開口から抜き出す必要がある。この場合も、やはりトリガレバーを分解することが必要である。先ず、エルボを取り外した後、グリップ及び圧力容器を再び分離する。装置の使用後にはエルボは発泡ＰＵが詰まっている。従って、このエルボを抜き出すことによって、トリガレバー及びグリップの内側及び外側は発泡ＰＵで汚れることになる。これにより、使用者の手に発泡ＰＵが付着する危険性がある。発泡ＰＵによる汚れは、固まってしまう前に迅速に除去しなければならない。除去できないグリップの汚れは、装置の再使用の可能性を損ない、又は完全に不可能にする。
【０００５】
更に、既知の装置の他の欠点は、圧力容器を連結装置に固定するのが相当面倒なことがある。このため、連結装置に対する固定ナットの度重なる固定及び取り外し後に圧力容器は適正に固定することができなるなる。この結果、装置の使用中に圧力容器が破損することもある。既知の装置は、使用によって手腕に早期の疲労が生ずる欠点もある。装着した圧力容器を有する比較的長いグリップは、垂直ラインから傾いた状態にして使用することになる。支障のない作業を可能にするためにはこのような傾斜した状態を手の間接で支えなければならない。手の間接が早く疲労することによって、職業上の使用で行うべき連続使用はできなるなる。
【０００６】
従って、本発明の目的は上述の欠点のない上述の種類の装置を得るにある。即ち、流動物質を圧力状態の下で保存する容器から流動物質を注出する装置であって、用が快適であり、汚れる危険性がなく装置を組み立てたりまた分解したりすることができる流動物質注出装置を得るにある。また使用者を、圧力容器内に圧力の下に保存した流動物質例えば、発泡ＰＵとの接触から確実に保護することができる流動物質注出装置を得るにある。圧力容器を装置に簡単かつ迅速に装着し、また釈放できる流動物質注出装置を得るにある。更に、度重なる圧力容器の取付け及び取り外し後にも、圧力容器の確実な固定を保証することができる流動物質注出装置を得るにある。更に、職業上の使用にも適しており、手腕の早期の疲労によって使用が妨げられない流動物質注出装置を得るにある。
【０００７】
【課題を解決するための手段】
この目的を達成するため、本発明は、流動物質を圧力状態の下で保存する容器から流動物質を注出するため、グリップを有し、このグリップの端部に前記容器のための連結装置を設け、また前記グリップの前面に手で動作することができるトリガレバーを設け、このトリガレバーを前記容器に設けた弁装置に掛合させて連係動作するようにした流動物質注出装置において、前記グリップの端部領域に設けた連結装置に窪みを設け、この窪みを前記グリップの前記前面まで連続させて設け、また前記連結装置の下方で前記グリップに拡大部を設け、この拡大部は前記グリップの前面における前記窪みの外側で約９０°の角度でグリップの後方領域までひさし部として連続して設け、前記グリップの外側輪郭に対するひさし部を後方領域に向かって連続的に大きさを増大させ、後方領域で最大となるように形成したことを特徴とする。
【０００８】
【発明の効果】
本発明装置のこの構成によれば構成が簡単になる。エルボは小さい開口に通過させるため複雑な形状するする必要はない。このエルボは、圧力容器をグリップに結合するため弁ステムに装着している。トリガレバーを分解したり、再取付けする必要はない。取り外しは極めて簡単に行うことができる。本発明のこの構成によれば、エルボを弁ステムから引き抜くことなく、グリップから圧力容器を取り外すことができる。弁ステムに装着したエルボは差し込んだ可撓ホースと一緒に、結合装置を設けたグリップの端部の窪み及びグリップの前面の窪みの延長部から取り外すことができる。これにより、グリップを汚すことなく、また使用者は流動性物質例えば発泡ＰＵとの接触から保護される。
拡大部は装置の使用によって支える機能を有する。この拡大部は、使用者の手の甲の親指と人指し指との間の領域にあてがわれる。このようにして、グリップ及びこのグリップに支持した圧力容器の重量は使用者の手腕にうまく配分される。装置の使用状態で、装着した圧力容器が上方に垂直に突出した状態から傾こうとするグリップの傾向は、明らかに減少する。手の関接は倒れようとする力に抵抗する必要はなくなり、従って、疲労は少なくなる。
更にまた本発明装置は構成簡単かつ低コストで製造することができる。例えば、グリップは２個のハーフシェルから構成することができ、これらハーフシェルは射出成形で製造し、トリガレバーを組付けた後に互いに接合することができる。
【０００９】
本発明の好適な実施の形態においては、前記窪みの前記グリップの前記前面まで連続する部分を前記トリガレバーの収容部として構成する。このようにして、グリップ製造のための金型を簡単の構成にすることができる。
【００１０】
グリップを軽量にするためには、前記連結装置の端部領域に設けた前記窪みを前記グリップを拡大して前記グリップに連続形成するとよい。この中空の構成によりグリップの重量が軽減される。これと同時にグリップの製造のための材料消費量が節減される。グリップの中空構造によって、トリガレバーを前面の窪みに配置することができ、グリップの内部に大部分を配置することができる。この構成により、圧力容器の分配弁の動作のためのトリガレバーの回動を小さくすることができる。また使用者が操作するレバー部分が比較的グリップに近接しているため、指の位置でのレバー操作が可能になり、極めて精密な圧力勾配を可能とする。
【００１２】
更に、本発明の好適な実施の形態においては、前記容器のための前記連結装置を迅速ロックとして構成し、前記容器の結合手段に掛合して連係動作するようにする。この構成によれば、圧力容器は、固定ナットのような複雑な手段で固定する必要がなくなる。好適には、前記迅速ロックをバヨネットロック又はスナップロック等により構成する。これによれば、グリップをコンパクトにして必要に応じて圧力容器の取り付け、及び取り外しを容易に行うことができる。バヨネットロックの場合、押圧ロックとするか、又は部分的なねじを設けるかすることができ、この場合、圧力容器に設けた対応部分に掛合して連係動作するようにする。
【００１３】
【実施例】
次に、図面につき本発明の好適な実施例を説明する。
【００１４】
図１及び図２に示す本発明による好適な実施例はグリップ１を有し、このグリップの端部２に容器１３のための連結装置３を設ける。この容器１３には、圧力の下で注出する流動性物質を保存する。この装置は、図示の作動状態では、分配弁を有する容器１３を逆さまにして連結装置３と結合させる。図示の実施例では、連結装置３はスナップ係止装置として構成し、２個の止め部３１と、弾力のある戻り止め用のつめ３２を３点位置に設ける。止め部３１及びつめ３２は、容器１３のヘッドに設けた結合手段１４と掛合して連係動作する。例えば、この結合手段は環状のカラーとして構成し、このカラーが止め部３１に掛合し、また装着状態でつめ３２により抑え付ける。このつめ３２の抑止力による容器１３の係止は解放可能である。
【００１５】
連結装置３を設けたグリップ１の端部２に窪み７を設け、この窪み７はグリップ１の前面４に至るまで連続させて設ける。図１及び図２の実施例では、この窪み７は、前面４においてグリップ１の約半分の長さまで設けてトリガレバー５のための収容部として構成し、このトリガレバー５をグリップ１にヒンジ連結する。トリガレバー５は、グリップの前面４では窪み７の全長にわたり連結装置３までは設けない。トリガレバー５の上方端部と、連結装置３の左右の止め部３１との間に生ずる自由空間７１を戻り止め用のつめ３２まで延ばし、このつめ３２はグリップ１の後方領域８にヒンジ連結する。窪み７の自由空間７１は、グリップ１に容器１３を嵌め込む際に、容器のエルボ１１を妨害することなく貫通させ、このエルボ１１は、容器１３のヘッド側端部に設けた分配弁の弁ステムに装着する。エルボ１１には可撓性のホース１２を取り付け、到達できない位置にも適用することがてきるようにする。
【００１６】
連結装置３の下方でグリップ１の周囲に拡大する拡大部９を設け、この拡大部９はグリップ部１の前面４から９０°の角度でグリップ部の後方領域８まで設ける。この場合、グリップ１の輪郭に対して、前面４から後方領域８まで連続的に増大するひさし部を形成する。最も大きいひさし部をグリップの後方領域８の拡大部９とする。拡大部９はこの装置の使用中、使用者の手の甲の親指と人指し指との間の位置にある部分にあてがい、容器を差し込んだ装置を支えることができるようにする。グリップ１の前面４にプラグ１０を差し込む。このプラグの直径を遊端に向かって減少させる。容器内に存在する流動性物質例えば、発泡ＰＵの注出作業の短い中断時に、ホース１２の先端にプラグ１０を差し込むことができるようにする。これによりホース１２に存在する物質は十分な気密状態に密閉され、短い中断によってホース１２内は硬化することはほとんどなくなる。
【００１７】
図３〜図５に示す本発明による第２の実施例は第１の実施例に僅かな変更を加えたものである。この実施例の連結装置３は、グリップ１の端部２に２個の側方案内３３と、１個のばね弾性戻り止め用つめ３２を設けたものとして構成する。押圧ロックとして構成した連結装置３は、圧力状態の下にある流動性物質のための図示しない容器に設けた結合（結合）手段に掛合して連係動作する。例えば、容器のヘッドの左右に突耳を設け、この突耳を側方案内３３により抑え付けるようにする。双方の側方の突耳を横切って連結する横方向突耳を戻り止め用つめ３２のための対向部分として作用させる。差し込んだ容器はこのばね弾性を有する戻り止めつめ３２によってこの状態に固定される。この係止は、つめ３２の下向きの押圧力を解放することによって釈放することができる。窪み７を両側の側方案内３３間に設け、またグリップの前面４におけるトリガレバー５の収容部７２として構成する。トリガレバー５は枢軸６にヒンジ連結し、大部分をグリップ１の内部に配置する。トリガレバー５の延長部５１を止め部として作用させ、トリガレバー５のグリップ１から突出する前方移動を制限する。図４の断面図から明らかなように、グリップ１を中空形状に構成し、窪み７の自由空間７１を形成する。グリップの後方領域８に拡大部９を設け、この拡大部９は、装置の使用中に使用者の親指と人指し指の間の部分にあてがう。
【図面の簡単な説明】
【図１】本発明による流動物質注出装置の第１の実施例の容器を取り付けた状態の正面図である。
【図２】図１の実施例の側面図である。
【図３】本発明による流動物質注出装置の第２の実施例の正面図である。
【図４】図３のＩＶ−ＩＶ線上の縦断面図である。
【図５】図３の実施例の頂面図である。
【符号の説明】
１  グリップ
２  端部
３  連結装置
４  前面
５  トリガレバー
７  窪み
８  後方領域
９  拡大部
10  プラグ
11  エルボ
12  ホース
13  容器
14  結合手段（カラー）
31  止め部
32  戻り止め用のつめ
33  側方案内
51  延長部
71  自由空間
72  収容部
【図１】
0003741772.tif 000002
【図２】
0003741772.tif 000003
【図３】
0003741772.tif 000004
【図４】
0003741772.tif 000005
【図５】
0003741772.tif 000006